(57)【要約】【課題】経糸密度や緯糸密度を粗くしても、下絵の図柄模様を手芸織物に簡便且つ正確に再現し得るようにし、初心者が、手織機に馴染み易く、手芸模様織物を短時間に織成し得るようにする。【解決手段】織物の構成に所要の複数本の経糸１１を配列して織機にビーム状に張設し、その経糸の配列面に下絵の描かれた転写シート１２を重ね合わせ、その転写シートの下絵１３を配列面の経糸１１に転写し、その経糸１１を操作して開口１４を形成し、その開口１４を構成している経糸の織前近接部分に付着している下絵の画素１６に応じた色彩を有する柄糸１７を、その下絵の画素１６に合わせて開口１４に挿入し、織前１５へと移動させて織り込む。【選択図】      図１
2005015955.tif 000002
【特許請求の範囲】
【請求項１】
（ａ）  織物の構成に所要の複数本の経糸（１１）を配列して織機にビーム状に張設し、（ｂ）  その経糸（１１）の配列面に下絵の描かれた転写シート（１２）を重ね合わせ、その転写シートの下絵（１３）を配列面の経糸（１１）に転写し、（ｃ）  その経糸（１１）を操作して開口（１４）を形成し、（ｄ）  その開口（１４）を構成している経糸の織前近接部分に付着している下絵の画素（１６）に応じた色彩を有する柄糸（１７）を、その下絵の画素（１６）に合わせて開口（１４）に挿入し、織前（１５）へと移動させて織り込むことを特徴とする手芸模様織物製織方法。
【請求項２】
（ｅ）  織機に張設する所要量の経糸（１１）と、下絵（１３）の描かれている転写シート（１２）と、その下絵（１３）の画素（１６）に対応した色彩に有する柄糸（１７）が１セットになっていることを特徴とする手芸織物材料。
【請求項３】
（ｆ）  柄糸（１７）が緯糸として織り込まれて手芸織物（１８）の表面に図柄模様（１９）を描出しており、（ｇ）  緯糸として織り込まれている柄糸（１７）に交差する経糸（１１）が、その交差箇所において、その交差する柄糸（１７）の色彩（２０）に応じた色彩に部分的に着色されており、（ｈ）  緯糸（柄糸）（１７）を取り除いて現れる経糸（１１）の配列面に、図柄模様（１９）の下絵（１３）が描かれていることを特徴とする手芸模様織物。
【請求項４】
（ｉ）  柄糸（１７）が経糸（１１）と平織組織を形成しており、（ｊ）  柄糸（１７）の縮率が１．３倍以上であり、（ｋ）  柄糸（１７）が経糸（１１）の上に隆起した綴織構造を形成していることを特徴とする前掲請求項３に記載の手芸模様織物。
【請求項５】
（ｌ）  図柄模様（１９）の下絵（１３）の画素（１６）に対応した色彩の花糸（パイル）（２５）が長さ方向に配置されて軸糸（２１・２２）に係止されているシェニール糸によって柄糸（１７）が構成されていることを特徴とする前掲請求項３に記載の手芸模様織物。
【発明の詳細な説明】
【０００１】
【発明の属する技術分野】
本発明は、手織機を用いて織成される手芸織物に関するものであり、更に詳しく言えば、図柄模様の描出されている手芸模様織物に関するものである。
【０００２】
【従来の技術】
ジヤカードは、織物に図柄模様を描出する手段として周知慣用である。しかし、ジヤカードは、自動装置であり、自動織機に搭載されるとしても、手動で操作される手織機に搭載されることはない。
手織機で織成される手芸織物に図柄模様を描出する場合には、その下絵の細部の画素の色数に応じた多数の色糸を緯糸として杼に装填して用意し、その下絵を方眼紙に写し取った原図を手織機の傍らに置き、原図（方眼紙）の横列に並んだ下絵の画素の色彩と、既に織り込まれて織前に並んでいる色糸（緯糸）とを照合しつつ、その並んでいる色糸（緯糸）と下絵の画素に対応する色彩に応じた色糸（緯糸）を選択し、その選択された色糸（緯糸）を、織前において下絵の画素の配置に対応する位置の経糸間に挿入して織り込む綴織技法が採られる。
手芸織物に図柄模様を描出する他の方法としては、原図（方眼紙）の各横列に並んだ下絵の画素の色彩に対応した花糸（パイル）を長さ方向に配置したシェニール糸を緯糸として織り込む方法が知られている。
【０００３】
【発明が解決しようとする課題】
原図の画素と織前を照合して色糸（緯糸）を選択する綴織技法では、その色糸（緯糸）を織り込む織前での位置決めは勘による面が多く、その勘を会得するには相当の経験と熟練を要するので、原図通りの図柄模様を手芸織物に再現することは初心者にとって至難の業である。
その点、シェニール糸を使用する方法では、原図（方眼紙）の画素に対応した花糸が自動的に織前に沿って配置されることになるので、初心者であっても比較的簡単にそれなりの手芸模様織物を織成することが出来る。とは言え、シェニール糸では、花糸を係止している軸糸が糸足、即ち、軸糸の単位長さ当りの長さの異なる芯糸と搦み糸によって構成されているので伸縮性に富み、開口（経糸間）に挿入する際のテンション加減によって、下絵の画素に相当する花糸の配列間隔にバラツキが生じ、手芸織物に再現される図柄模様の画素に位置ズレが生じ、図柄模様を下絵に忠実に再現することは初心者にとって困難である。
【０００４】
【発明の目的】
そこで本発明は、綴織技法による場合でも、又、シェニール糸を使用する場合でも、下絵の図柄模様を手芸織物に簡便且つ正確に再現し得るようにすることを第１の目的とする。
本発明の第２の目的は、手芸織物の経糸密度や緯糸密度を粗くしても、下絵の図柄模様を手芸織物に正確に再現し得るようにし、初心者が、手織機に馴染み易く、手芸模様織物を短時間に織成し得るようにすることにある。
【０００５】
【課題を解決するための手段】
本発明に係る図柄模様織成法は、（ａ）  織物の構成に所要の複数本の経糸１１を配列して織機にビーム状に張設し、（ｂ）  その経糸の配列面に下絵の描かれた転写シート１２を重ね合わせ、その転写シートの下絵１３を配列面の経糸１１に転写し、（ｃ）  その経糸１１を操作して開口１４を形成し、（ｄ）  その開口１４を構成している経糸の織前近接部分に付着している下絵の画素１６に応じた色彩を有する柄糸１７を、その下絵の画素１６に合わせて開口１４に挿入し、織前１５へと移動させて織り込むことを特徴とする。
【０００６】
従って本発明に係る手芸織物材料は、（ｅ）  織機に張設する所要量の経糸１１と、下絵１３の描かれている転写シート１２と、転写シートの下絵１３の画素１６に対応した色彩に有する柄糸１７がセットになっていることを特徴とする。
【０００７】
又、本発明に係る手芸模様織物は、（ｆ）  柄糸１７が緯糸として織り込まれて手芸織物１８の表面に図柄模様１９を描出しており、（ｇ）  緯糸として織り込まれている柄糸１７に交差する経糸１１が、その交差箇所において、その交差する柄糸１７の色彩（２０）に応じた色彩に部分的に着色されており、（ｈ）
緯糸（柄糸）１７を取り除いて現れる経糸１１の配列面に、図柄模様１９の下絵１３が描かれていることを第１の特徴とする。
【０００８】
本発明に係る手芸模様織物の第２の特徴は、上記第１の特徴に加え、（ｉ）
柄糸１７が経糸１１と平織組織を形成しており、（ｊ）  柄糸１７の縮率が１．３倍以上であり、（ｋ）  柄糸１７が経糸１１の上に隆起した綴織構造を形成している点にある。
【０００９】
本発明に係る手芸模様織物の第３の特徴は、上記第１の特徴に加え、（ｌ）
図柄模様１９の下絵１３の画素１６に対応した色彩の花糸（パイル）２５が長さ方向に配置されて軸糸（２１・２２）に係止されているシェニール糸によって柄糸１７が構成されている点にある。
【００１０】
【発明の実施の形態】
本発明において「ビーム状」とは、手芸織物の構成に所要のを構成するために必要とされる複数本の経糸が平行に引き揃えられて平面（平らな面）を形成している状態を意味し、その平面は、例えば経糸が円筒等の周面に支えられて平行に並んでいる場合のように弯曲平面を成すものであってもよい。
【００１１】
下絵１３は、染料と顔料の何れによっても描写することが出来る。その経糸１１への転写方法は、水やアルコール等の溶剤による方法でも、又、バインダー（接着剤）による方法でも、或いは又、加熱昇華による方法でもよい。溶剤による転写方法では、ベレンスや群青等の染着性を有しない非染着性水洗性染料を下絵の印刷インク（塗料）に使用するとよい。バインダーによる転写方法では、そのバインダーを染料や顔料と混練した印刷インク（塗料）として使用してもよく、又、染料や顔料によって印刷された下絵１３の表面に塗膜を形成するコーティング剤としてバインダーを使用することが出来る。加熱昇華による転写方法では、分散（昇華性）染料を下絵の印刷インク（塗料）に使用するとよい。好ましい転写方法は、バインダーによる方法であり、そのバインダーには非水溶性の熱融着性樹脂が使用される。
【００１２】
図１は、本発明の具体例を図示するものである。手織機のフレームは矩形枠体（図示せず）によって構成され、その前後の枠材の間で一巻の経糸１１を往復移動し、その折り返しを枠材に引っ掛けて、前後の枠材の間に経糸１１をビーム状に張設する。綜絖２３と筬２４は、経糸１１の配列面に転写シート１２の下絵１３を転写してから取り付けられる。尚、綜絖２３の綜目はＣ字形の鉤穴状になっており、綜絖２３は、経糸１１に綜目を引っ掛けるようにして取り付けられる。
転写シート１２は、離形剤をコーティングしたベースシートに、熱融着性バインダー樹脂を配合したインクによって下絵１３を印刷し、その印刷面に更に熱融着性バインダー樹脂をコーティングして調製されている。転写シート１２を経糸１１の配列面に重ね合わせる際には、バックアップ材を経糸１１の配列面の裏側に当て、アイロンを当てて転写シートの下絵１３を経糸１１に転写する。柄糸１７には、下絵１３の画素１６に対応した色彩の花糸（パイル）２５を長さ方向に配置して芯糸２１と搦み糸２２で係止したシェニール糸が使用されている。図１では、下絵の画素１６と花糸（パイル）２５の配置関係を明らかにするため、柄糸１７をジグザグに折り曲げて図示している。柄糸１７は、巻き取って杼２６に装填され、経糸間の開口１４へと投入される。開口１４に投入された柄糸１７は、その画素（花糸・パイル）２０と、経糸に転写された下絵の画素１６との位置合わせをしてから、織前１５へと筬打ちされて織り込まれ、手芸織物１８に図柄模様１９を描出することになる。従って、その描出される図柄模様１９は、柄糸の画素（花糸・パイル）２０と、経糸に転写された下絵の画素１６とが複合したものとなる。
【００１３】
図３は、綴織技法によって織成された綴織、或いは、フレミッシュ織とも称される手芸模様織物１８を図示するものである。図２は、その製織前の経糸１１の配列面を図示し、そこには転写シート１２から下絵１３が転写されている。図２と図３が示すように、転写されて経糸１１に接着している下絵の画素１６を目印とし、その画素１６に応じた色彩の柄糸１７ａが、その下絵の画素１６に交差させ、１．５〜１．７の縮率をもって織り込まれ、その縮率に応じた弛み分が交差する経糸１１の上に隆起して綴織構造を形成している。
【００１４】
本発明において「縮率」とは、織物の一定の寸法内（Ｗ）に織り込まれている糸条を織物から取り出して測定したときの糸条の実寸法（長さＬ）と、その織物の一定の寸法（Ｗ）との比率（Ｌ／Ｗ）を意味する。その縮率を１．３倍以上にすると、柄糸１７は、経糸１１ａ・１１ｂの接結点の間隔Ｇよりも長くなる分だけ、その経糸１１ａと経糸１１ｂの間において弛み出し、その間の経糸１１ｃの上に隆起し、綴織構造を形成することになる。
綴織技法用の手芸織物材料では、経糸１１と転写シート１２とセットになる柄糸１７は、転写シートの下絵１３の画素１６の色数に応じた数色の色糸がセットとなって構成される。
【００１５】
【発明の効果】
本発明によると、開口１４において次に織前１５となるべき経糸１１の織前近接部分に下絵の画素１６が表示されている。その織前近接部分の画素１６は、経糸１１の配列面に転写された下絵１３と、織前１５から続く手芸織物１８の図柄模様１９との双方の構図へと連続している。従って、その下絵１３と図柄模様１９との双方の構図との連続性からして、その織前近接部分の経糸の画素１６に対応して次に織前１５へと織り込むべき柄糸１７ａ・１７ｂ・１７ｃを選定することが出来、且つ、その選別された柄糸１７の織込位置を確認することが出来る。
このため、綴織技法による場合でも、又、シェニール糸を使用する場合でも、織前１５へと織り込むべき柄糸１７の選定とその織込位置の確認を誤ることがなく、下絵の図柄模様を忠実に手芸織物１８に再現することが出来、又、その選定と確認のために原図を手織機の傍らに置いて逐一織前とを照合する必要もなくなるので、手芸模様織物１８を効率的に織成することが出来る。
【００１６】
更に、本発明によると、手芸織物に描出される図柄模様１９は、柄糸の画素（花糸・パイル）２０と同色の経糸に転写された下絵の画素１６とが複合したものとなるので、経糸１１を太くして経糸密度を粗くし、或いは、緯糸密度を粗くして、経糸１１が織物表面に大きく露出するように製織する場合でも、経糸１１による柄糸１７の色の鈍化、即ち、柄糸１７によって描出されるべき図柄模様１９の色調が経糸１１の色彩によって濁りのあるものとならず、そのように経糸密度や緯糸密度を粗くすることによって、製織に不馴れの初心者でも短時間に手芸模様織物を織成して完成の喜びを味わうことが出来、手織機が初心者にとって馴染み易く扱い易いものとなる。そのためにも、転写シートの下絵１３には耐水性印刷インク（塗料）、特に、熱融着性バインダー樹脂の配合された印刷インク（塗料）を使用し、或いは、転写シート１２に熱融着性バインダー樹脂をコーティングし、転写シートの下絵１３をアイロンによって経糸１１に簡便に転写し得るようにすると共に、下絵の画素１６と柄糸の画素２０を同色にし、柄糸１７によって描出される図柄模様１９の色調が経糸１１の色彩によって損なわれないようにすることが推奨される。
【００１７】
本発明の手芸織物材料は、手芸模様織物１８を織成するために必要な経糸１１と、下絵１３の描かれている転写シート１２と、その下絵１３の画素１６に対応した色彩に有する柄糸１７を１セットとして構成されており、その使用する経糸１１と柄糸１７に過不足なく、又、転写シート１２の下絵１３に対応した柄糸１７を誤りなく用意することが出来、手芸模様織物１８を織成して生じる経糸１１や柄糸１７のロスが回避され、そのロス分によって手芸模様織物１８が割高なものとなることはない。
【００１８】
このように、本発明によると、下絵の図柄模様を手芸織物に簡便、正確、鮮明、且つ、効率的に再現することが出来、手織機が手芸愛好家その他の初心者に馴染み易いものとなり、肢体訓練手段や学習教育手段として手織機の普及と拡販を図る上でも本発明は頗る好都合である。
【図面の簡単な説明】
【図１】本発明に係る手芸織物と手織機と転写シートと柄糸の平面図から成る本発明の概念図であり、一部を円で囲んで拡大して図示している。
【図２】本発明に係る経糸配列面の拡大平面図である。
【図３】本発明に係る手芸模様織物の拡大平面図である。
【符号の説明】
１１  経糸
１２  転写シート
１３  下絵
１４  開口
１５  織前
１６  下絵の画素
１７  柄糸（緯糸）
１８  手芸織物
１９  図柄模様
２０  柄糸の画素
２１  芯糸
２２  搦み糸
２３  綜絖
２４  筬
２５  花糸（パイル）
２６  杼
【図１】
2005015955.tif 000003
【図２】
2005015955.tif 000004
【図３】
2005015955.tif 000005